(57)【要約】【課題】光源に直管形の放電ランプを用い、放電ランプを覆うカバーを備えている照明器具において、取付け面への新設、あるいは既設の照明器具におけるランプ交換の際にカバーを支えている必要のない、作業が容易な照明器具を提供する。【解決手段】直管形蛍光ランプＦの固定と放電ランプへの点灯用電力の給電点の役とをなす向い合せに配置した一対のソケット１１と、ソケットを固定するためのソケット金具２Ａと、ソケット金具などを固定するための器具本体１と、放電ランプを覆うカバー３Ａとを少なくとも有する照明器具において、直管形蛍光ランプＦの管軸に沿う方向をこの照明器具の長手方向とするとき、各々のソケット金具３Ａ及び／又は器具本体１Ａに、長手方向に延びる軸４Ａを、各々の軸の延長線が一致するように設け、カバー３Ａには軸４Ａが嵌り込む溝を設けて、カバー３Ａがソケット金具及び／又は器具本体の軸３Ａに軸支されて、各々の軸の延長線を中心にして回転可能であるようにとする。【選択図】      図１
2006031964.tif 000002
【特許請求の範囲】
【請求項１】
電気的光源を用いる照明器具であって、前記光源の固定と光源への点灯用電力の給電点の役とをなすソケットと、前記ソケットを固定するためのソケット保持具と、前記ソケット保持具を固定するための器具本体と、前記光源を被照面の側から覆うカバーとを少なくとも有する照明器具において、
前記ソケット保持具及び／又は器具本体に少なくとも１つ以上の軸を設け、前記カバーには前記軸が嵌り込む溝を設けて、
前記カバーが前記ソケット保持具及び／又は器具本体に設けた軸に軸支された状態で開閉可能であるようにしたことを特徴とする照明器具。
【請求項２】
前記カバーは被照面の側から見たときの平面形状が四角形であり、
前記ソケット保持具及び／又は器具本体には、前記四角形の一辺に沿って延びる軸を２つ以上、各々の軸の延長線が一致するように設け、
前記カバーには、前記軸に対応する部位に軸が嵌り込む溝を設けたことを特徴とする、請求項１に記載の照明器具。
【請求項３】
直管形の放電ランプを光源に用いる照明器具であって、前記放電ランプの固定と放電ランプへの点灯用電力の給電点の役とをなす向い合せに配置した一対のソケットと、前記ソケットを固定するためのソケット保持具と、前記ソケット保持具を固定するための器具本体と、前記放電ランプを覆うカバーとを少なくとも有する照明器具において、
前記直管形の放電ランプの管軸に沿う方向をこの照明器具の長手方向とするとき、各々のソケット保持具及び／又は器具本体に、前記長手方向に延びる軸を、各々の軸の延長線が一致するように設け、前記カバーには前記軸が嵌り込む溝を設けて、
前記カバーが前記ソケット保持具及び／又は器具本体に設けた軸に軸支されて、前記各々の軸の延長線を中心にして回転可能であるようにしたことを特徴とする照明器具。
【請求項４】
前記軸は、各々のソケット保持具又は器具本体と、同一材料で一体に作られていることを特徴とする、請求項１乃至３の何れか１項に記載の照明器具。
【請求項５】
直管形の放電ランプを嵌め込むための向い合せに配置された一対のソケットであって、嵌め込まれた放電ランプを着脱可能に固定すると共に放電ランプへの点灯用電力の給電点の役をなすソケットと、
前記ソケットを固定するためのソケット保持具と、
前記ソケット保持具を固定するための器具本体と、
前記放電ランプを覆うカバーとを少なくとも有し、
各々のソケット保持具は金属製で、前記直管形の放電ランプの管軸に沿う方向を長手方向とするとき、互いに相手側のソケット保持具に向って前記長手方向に突出する、一体に形成された軸を有し、各々の軸は互いに相手の軸の延長線上に位置し、
前記カバーは、前記長手方向に沿う一辺に、前記ソケット保持具の軸が嵌り込む溝を有し、
前記カバーが前記ソケット保持具に設けた軸に軸支されて、各々の軸どうしを結ぶ線を中心にして回転可能である構造の照明器具。
【請求項６】
直管形の放電ランプを嵌め込むための向い合せに配置された一対のソケットであって、嵌め込まれた放電ランプを着脱可能に固定すると共に放電ランプへの点灯用電力の給電点の役をなすソケットと、
前記ソケットを固定するためのソケット保持具と、
前記ソケット保持具を固定するための器具本体と、
前記放電ランプを覆うカバーとを少なくとも有し、
前記器具本体は金属製で、前記直管形の放電ランプの管軸に沿う方向を長手方向とするとき、長手方向に延びる、一体に形成された軸を少なくとも２つ以上有し、各々の軸は互いに他の軸の延長線上に位置し、
前記カバーは、前記長手方向に沿う一辺に、前記器具本体の軸が嵌り込む溝を有し、
前記カバーが前記器具本体に設けた軸に軸支されて、各々の軸どうしを結ぶ線を中心にして回転可能である構造の照明器具。
【請求項７】
直管形の放電ランプを嵌め込むための向い合せに配置された一対のソケットであって、嵌め込まれた放電ランプを着脱可能に固定すると共に放電ランプへの点灯用電力の給電点の役をなすソケットと、
前記ソケットを固定するためのソケット保持具と、
前記ソケット保持具を固定するための器具本体と、
前記放電ランプを覆うカバーとを少なくとも有し、
各々のソケット保持具は金属製で、前記直管形の放電ランプの管軸に沿う方向を長手方向とするとき、互いに相手側のソケット保持具に向って前記長手方向に突出する、一体に形成された軸を有し、
前記器具本体は金属製で、前記長手方向に延びる、一体に形成された軸を有し、
各々の軸は、互いに他の軸の延長線上に位置し、
前記カバーは、前記長手方向に沿う一辺に、前記ソケット保持具の軸が嵌り込む溝及び前記器具本体の軸が嵌り込む溝を有し、
前記カバーが前記ソケット保持具及び前記器具本体に設けた軸に軸支されて、各々の軸どうしを結ぶ線を中心にして回転可能である構造の照明器具。
【請求項８】
前記器具本体を垂直壁面又は水平天面に直接固定する構造であることを特徴とする、請求項１乃至７の何れか１項に記載の照明器具。
【請求項９】
照明器具の長手方向の両端面を、前記器具本体及び前記カバーの両端の縁の部分に被さるかたちで覆う、深蓋状の側板を有することを特徴とする、請求項３乃至８の何れか１項に記載の照明器具。
【発明の詳細な説明】
【技術分野】
【０００１】
本発明は照明器具に関し、特に、電気的光源を用いる照明器具で、光源を被照面の側からを覆うカバーを備えている照明器具に関する。
【背景技術】
【０００２】
この種の照明器具の一つに、光源に直管形の蛍光ランプを用い、室内の壁や天井あるいは什器の側面や棚下などの、水平天面あるいは垂直面に直接固定する構造のものがある。
【０００３】
図７に、従来の照明器具の一例の分解斜視図及び透視側面図を示す。図７（ａ）は、その照明器具を長手方向（光源の直管形蛍光ランプ１０の管軸に沿う方向）が床面に平行になるようにして垂直壁面に取り付けた状態を分解して、左下から斜め上方に見上げたところを示している。図７（ｂ）は、照明器具を長手方向から見たところを示している。
【０００４】
図７を参照して、この図に示す照明器具は、器具本体１と、ソケット１１と、ソケット金具２と、側板１２と、カバー３とを備えている。他に、点灯回路１３や引き紐でオン、オフするスイッチ１４などの、点灯用電力の供給や点灯・消灯の制御に必要な各種部品も備えている。
【０００５】
器具本体１は、この照明器具の基台になるもので、蛍光ランプ１０に見合った長さの金属板を折り曲げて、横断面が「コ」の字型の溝になるように作ってある。この器具本体１に、上述のソケット金具２や点灯回路１３或いはスイッチ１４などの各種部品が取り付けてある。器具本体１は、「コ」の字の縦棒に当たる部分（すなわち、溝の底）に図示しない通し孔が開けられていて、その孔を通して図示しない木ねじなどで壁面にねじ止めしてある。器具本体１は、多くは金属製である。基台に要求される十分な機械的強度を確保でき、加工が容易だからである。
【０００６】
ソケット金具２は多くは金属製で、金属板をプレスで折り曲げ加工するなどして作ってある。この照明器具の長手方向に沿って左右に一つずつ、蛍光ランプ１０の長さに見合った距離だけ離して、器具本体１にねじ止めなどで固定してある。
【０００７】
ソケット１１は、上述した二つのソケット金具２のそれぞれに、一つずつ固定されている。直管形蛍光ランプ１０は、ランプの両端に設けられている端子１５がソケット１１に嵌め込まれて、ソケットに脱着可能に固定される。ソケット１１は、また、嵌め込まれた蛍光ランプ１５の端子１５に点灯用電力を供給する、給電点の役目もしている。
【０００８】
カバー３は、樹脂製のものが多い。横断面が「Ｃ」字型の、外側に膨らんだ雨樋形に成形してある。このカバー３は、器具本体１の上辺と下辺（「コ」の字の上横棒の先端で、長手方向の端から端に亘る辺と、同、下横棒の先端で、長手方向の端から端に亘る辺）の縁に浅く被さる形で嵌め込まれている。但し、接着あるいはねじ止めなどで恒久的、半恒久的に固定してあるのではなく、単に器具本体１に前面側から被せてあるだけである。
【０００９】
そして、この照明器具の両端に、側板１２が被せられている。二つの側板１２はどちらも、縁の部分が立ち上がっている深蓋状にしてある。樹脂製のものが多い。深蓋の底に当たる平らな部分で器具本体１およびカバー３の両脇の開放面を塞ぎ、縁の立ち上がっている部分で、器具本体１とカバー３の両端の縁の部分に被さっている。これにより、カバー３と器具本体１とを外側から押え付けて、カバー３が簡単には外れないようにしている。この側板１２も、ランプ交換などのメンテナンスの際に脱着しやすいように、器具本体１とカバー３の端部に被せてあるだけである。ねじ止め或いは接着などは、してない。このような照明器具が、例えば特許文献１に記載されている。
【００１０】
【特許文献１】登録実用新案公報  第３００９３７８号（段落［０００２］、図１０）
【発明の開示】
【発明が解決しようとする課題】
【００１１】
上述したカバー付き照明器具においては、カバーの固定構造が使い勝手の良さを決める要素の一つになっている。以下に、その説明をする。
【００１２】
上に述べた照明器具を前述した垂直面あるいは水平天面などの取付け面に新たに取付ける場合を考える。この場合、先ず、器具本体１を取付け面に木ねじなどで固定することになる。そして、そのためには、どうしても、カバー３と蛍光ランプ１０とを予め取り外しておかなければならない。つまり、照明器具が組み立てられている状態から、先ず、側板１２を取り外し、カバー３を器具本体１から取り外す。次いで、蛍光ランプ１０をソケット１１から取り外した上で、器具本体１を取付け面にねじ止めするのである。
【００１３】
そして、器具本体１を取付け面に固定した後では、今度は逆に、蛍光ランプ１０をソケット１１に嵌め込み、カバー３を器具本体１に被せ（この操作を、以後、カバー装着と記す）、最後に側板１２を両側から被せて行く（同、側板装着と記す）。
【００１４】
ここで、上記のカバー装着から側板装着に移るときの作業の進め方をみてみる。ここでは、先ず、器具本体１の上辺、下辺の縁にカバー３を軽く被せる。ここまでは、両手を使って作業できる。しかし、カバー３は、器具本体１に固定されているわけではなく浅く被せてあるだけなので、手を離すと落下してしまう。
【００１５】
そこで、次の側板装着のときには、カバー３を片方の手で支えながら、もう一方の空いている方の手で、器具本体１およびカバー３の端部に側板１２を被せるという作業を、右、左と手を交代させながらしなければならない。この作業は、非常に難しい。カバー３のような長尺物を一点で支えてバランスを取ることだけでも難しいのに、それに加えて、側板装着というもう一つ別の作業を同時に行わなければならないからである。その困難さは非常なもので、カバーの脱落というような事故が起こりやすい。そのような作業の困難さとそれに伴う事故の危険性は、蛍光ランプが長く、照明器具を長手方向が床面に平行になる状態で取付ける場合に、特に著しい。例えば、蛍光ランプ１０が４０Ｗ（全長約１２４０ｍｍ）というような長いものであり、取付け面が高い天井などの場合は、高所で上向きになって、手を一杯に広げなければならないので、非常に困難で事故の起りやすい作業になる。
【００１６】
以上は、照明器具を新設する場合について述べたが、既設の照明器具においてランプ交換の作業をするときも、上に述べたと同じ作業の困難さ、危険性が伴う。しかも、この場合には、似たような困難な作業を二回も行わなければならない。ランプ交換の場合は、照明器具が取付け面に取り付けられている状態で、先ず始めにカバー３を外さなければならない。そのカバー取外しという作業が加わるからである。このカバー取外しのときも、カバー３を片手で支えながら、もう一方の空いている手で側板１２を操作することになる。従って、作業の困難さ、事故の危険性は先に述べたカバー装着の場合と同じである。
【００１７】
カバー装着や取付け作業の困難さとそれに伴う事故の危険性は、カバーを支える作業が、長尺物を一点で支えるというバランスの取りにくい作業であることと、その難しい作業をしながら、同時にもう一方の手で側板１２を取り外し、或いは装着するという操作しなければならない作業の複雑さに起因するものだからである。
【００１８】
上述のような困難さや危険性は、カバーが横長で雨樋形の膨らみのあるものばかりではなく、平面形状が円形のものでも、あるいは単なる平板でできたカバーの場合でも起こり得る。そして、直管形放電ランプに限らず、電気的光源を用いる限り、光源の交換という作業は必ず必要である。
【００１９】
従って、本発明は、電気的光源を用いる照明器具で、光源を覆うカバーを備えている照明器具であって、取付け面への新設、あるいは既設の照明器具における光源の交換の際の作業が容易な照明器具を提供することを目的とする。
【課題を解決するための手段】
【００２０】
本発明の照明器具は、電気的光源を用いる照明器具であって、前記光源の固定と光源への点灯用電力の給電点の役とをなすソケットと、前記ソケットを固定するためのソケット保持具と、前記ソケット保持具を固定するための器具本体と、前記光源を被照面の側から覆うカバーとを少なくとも有する照明器具において、前記ソケット保持具及び／又は器具本体に少なくとも１つ以上の軸を設け、前記カバーには前記軸が嵌り込む溝を設けて、前記カバーが前記ソケット保持具及び／又は器具本体に設けた軸に軸支された状態で開閉可能であるようにしたことを特徴とする。
【発明の効果】
【００２１】
本発明に係る照明器具においては、カバーがソケット保持具及び／又は器具本体に設けた軸によって軸支されている。そして、カバーを軸支した状態で、回転させて開け、閉めすることができる構造になっている。従って、器具本体を取付け面にねじ止めしたり、或いは光源の交換をしたりするときは、カバーを回転させて開ける、或いは閉めるという作業をするだけで良い。カバーを取り外さないで済むし、当然、取り外そうとしたりこれから取付けようとするカバーを手で支えている必要もない。これにより、本発明によれば、照明器具の新設や光源の交換作業を容易なものにすることができる。
【発明を実施するための最良の形態】
【００２２】
次に、本発明の実施の形態について、図面を参照して説明する。
【実施例１】
【００２３】
図１に、本発明の第１の実施例（実施例１）に係る照明器具の分解斜視図と透視側面図を示す。図１（ａ）は、照明器具を長手方向が床面に平行になるようにして垂直壁面に取り付けた状態を分解して、左下から斜め上方に見上げたところを示す図である。先に示した従来の照明器具の分解斜視図７（ａ）に相当する。図１（ｂ）は、照明器具を長手方向からところを示す図である。従来の照明器具の透視側面図７（ｂ）に相当する。図１と図７とを参照して、本実施例に係る照明器具は、従来の照明器具と、主に以下に列挙する点で異なっている。すなわち、左右二つのソケット金具２Ａのそれぞれに軸４Ａを一つずつ設けている点。カバー３Ａの両端に溝５Ａを設けている点（尚、紙面右側の軸は、隠れていて見えない）。上記軸４Ａを溝５Ａに嵌め込んで、カバー３Ａを軸支している点。側板がない点である。以下では、上述の主たる相違点を中心にして、本発明を説明する。
【００２４】
軸４Ａは金属製の棒状物で、それぞれのソケット金具２Ａから互いに相手側のソケット金具の方に向って、長手方向に沿って飛び出している。ソケット金具２Ａは金属製で、それぞれのソケット金具２Ａと軸４Ａとは、同じ一枚の金属板からプレス加工で折り曲げて作ってある。左右二つの軸４Ａは、互いに相手側の軸の延長線上に位置していて、二つの軸どうしを結ぶ線は、蛍光ランプ１０の管軸と平行である。
【００２５】
カバー３Ａは樹脂製で、溝５Ａはカバーの下辺（「Ｃ」の字の下側の先端で、長手方向の端から端に亘る辺）の両端部分に、上記ソケット金具側の軸４Ａに見合う位置に設けられている。溝５Ａの横断面を見ると、図１（ｂ）の側面図に図示するように、カバー３Ａの下辺の縁が内側に半円形に盛り上がる形状になっていて、内部が中空になっている。そして、その半円周の、ソケット金具２Ａに近い部分が一部切れていて、内部の中空部分が外部と繋がって溝状になっている。カバー３Ａを上述のような構造にすることは、樹脂を押出し成形やインジェクション成形で成形することによってできる。このような構造であるので、カバー３Ａを取り付けるときは、カバー３Ａを下辺が蛍光ランプ１０と平行になるようにしておいて、ソケット金具の軸４Ａに向けて平行移動させてゆくことで、左右両端の軸４Ａと溝５Ａとを同時に嵌め合わせることができる。
【００２６】
本実施例に係るカバー３Ａには、上辺（「Ｃ」の字の下側の先端で、長手方向の端から端に亘る辺）の裏側に、内向きに飛び出す小さい突起６（図３参照）を設けてある。この突起６は、カバー３Ａの上辺に沿って、尾根のように連なっている。一方、器具本体１Ａの上辺の外側には、外向きに飛び出す尾根状の突起７を設けてある（同）。後にも述べるが、カバー３Ａを器具本体１Ａに嵌め込んだ後では、カバー側の突起６と器具本体側の突起７とが引っ掛かりあって、カバー３Ａが容易には外れないようになっている。尚、カバー３Ａの下辺は、器具本体１Ａの下辺に外側から被さるのではなく、突き合せになっている。
【００２７】
次に、本実施例において、ランプ交換を行うときの手順について述べる。本実施例に係る照明器具を壁に取り付けた状態を、図２（ａ）及び図３（ａ）に示す。図２（ａ）は照明器具を左下から斜め上に見上げたときの斜視図であり、図３（ａ）は長手方向から見た透視側面図である。尚、図２（ａ）は、光源の蛍光ランプを省いて示してある。
【００２８】
図２（ａ）、図３（ａ）を参照して、カバー付きの照明器具が壁に取り付けられている状態で、カバー３Ａの上辺を少し持ち上げて、カバー側の突起６と器具本体側の突起７の引っ掛かり合いを外す。カバー３Ａは樹脂製であるので、樹脂の弾性で容易に外すことができる。すると、カバー３Ａは、ソケット金具の軸４Ａどうしを結ぶ線を中心として、図中に白抜きの太い矢印または矢印付きの黒線で示す方向に回転する。
【００２９】
そして、図３（ｂ）の側面図に示すような途中段階を経て、図３（ｃ）の側面図に示すように、カバー３Ａが下まで回転し切って開いた状態になる。そこで、図２（ｂ）の左下から見上げたときの斜視図に示すように、蛍光ランプをソケットから取り外す。
【００３０】
これまでの段階において、カバー３Ａは、溝５Ａとソケット金具側の軸４Ａとの嵌め合いによって常に軸支されているので、特に手で支えていなくても落下することはない。また、側板の取外しもないので、作業はこれまでに比べ簡単で楽になる。
【００３１】
その後、図示はしないが、新しい蛍光ランプをソケットに嵌め込む。そして、カバー３Ａを、上に述べたとは逆方向に上向きに回転させて、器具本体１Ａの上辺とカバー３Ａの上辺とを突き合せる。更に、カバー３Ａ側の突起６と器具本体１Ａ側の突起７とを噛み合わせる。
【００３２】
この一連の作業のとき、カバー３Ａを、手で上向きに回転させてやることになる。しかし、このとき、カバー３Ａはソケット金具の軸４Ａに軸支されているので、「カバーを落ちないように支える」ということはしなくてもよい。単にカバーを回転させてやればよいだけなので、両手でできる簡単な作業である。たとえ手を離したとしても、カバーが落下する危険はない。カバー３Ａ側の突起６と器具本体１Ａ側の突起７とを噛み合わせることも、簡単である。カバー３Ａを少し強く器具本体１Ａ側に押してやれば、カバー側の突起は、樹脂の弾性で器具本体側の突起を乗り越えて行き、両方の突起が噛み合う。
【００３３】
本実施例において、ソケット金具２Ａに設けた軸４Ａは、ソケット金具とは別体のものにし、これをソケット金具にねじ止めするような構造にしても、もちろん良い。しかしながら、通常、ソケット金具は金属製であることを考慮すると、ソケット金具２Ａと軸４Ａとを同じ一枚の金属板で作って、一体物にする方が好ましい。部品点数がこれまでと同じであるので、ねじ止めなどの製造工程での組立て工数が増えなくて済み、製造コストの面で有利である。また、部品の資材管理などの費用がこれまで以上に増えることもない。
【実施例２】
【００３４】
上に述べた実施例１は、側板を設けない例であるが、次に述べる実施例２に係る照明器具は、側板を用いている。本実施例に係る照明器具を壁面に取り付けた状態を分解して、左下から斜め上方に見上げたときの斜視図を示す図４を参照して、本実施例は、側板１２を設けた点が、実施例１と異なっている。
【００３５】
側板１２は、図７に示す従来の照明器具における側板と同じ、深蓋状のものである。樹脂製で、深蓋の底に当たる平板の部分と、縁の立ち上がっている部分とからなっている。そして、器具本体１Ａ及びカバー３Ａの二つの両端に左右から嵌め込まれて、平板の部分で器具本体１Ａやカバー３Ａの両脇の開放面を覆い、縁の立ち上がっている部分で、器具本体１Ａとカバー３Ａの両端の縁の部分に被さっている。
【００３６】
本実施例によれば、組み立てた後での器具本体１Ａとカバー３Ａの結合が、実施例１に比べより強固になる。また、蛍光ランプ１０からの直射光の漏れがなくなるので、外観の面でも好ましい。
【実施例３】
【００３７】
実施例１や実施例２は、カバーを支える軸４Ａ（図１参照）をソケット金具２Ａ（同）に設けた例であるが、本実施例は、軸を器具本体に設ける。図５に、本実施例に係る照明器具を壁面に取り付けた状態を、分解して左下から斜め上方に見上げたときの斜視図を示す。図５を参照して、本実施例においては、軸をソケット金具に設けるのに代えて、器具本体１Ｂの下辺に設けている。軸４Ｂは、器具本体１Ｂの下辺の左右に一つずつ、ソケット金具２の近くに設けてある。二つの軸４Ｂは、互いに相手の軸の延長線上に位置していて、軸どうしを結ぶ線は蛍光ランプ１０の管軸と平行である。軸４Ｂは金属製で、同じく金属製の器具本体１Ｂと同じ一枚の金属板から、プレスで折り曲げ加工して作ってある。
【００３８】
そして、カバー３Ｂには、下辺の、器具本体側の軸４Ｂに見合う位置に、実施例１や実施例２におけると同様の構造の、横断面が半円形で中空の溝５Ｂを設けてある。
【００３９】
本実施例においても、実施例１や実施例２におけると同様に、カバー３Ｂに設けた溝に器具本体側の軸４Ｂを嵌め込むことによって、カバー３Ｂを器具本体１Ｂの軸４Ｂに回転可能な状態で軸支させることができる。
【００４０】
本実施例において、軸４Ｂは器具本体１Ｂの下辺の左右に一つずつ合計二つ設けたが、軸の数はこれに限らない。例えば下辺の長手方向の中央付近に一つ設けるだけでも良いし、三つ以上であっても良い。但し、軸が一つの場合は、照明器具を正面から見たとき、軸を中心にして時計回り、或いは反時計回りのモーメントが働くので、カバーの姿勢が不安定になったり、軸が破損しやすくなる可能性がある。そこで、器具本体１Ｂの下辺の、軸から離れたところに、上述の時計回り、反時計回りの回転に対するストッパを設けるなどの対策を講じる必要がある。このようなことを考慮すると、軸は少なくとも二つ以上で、互いに離れた位置に設けるのが良いであろう。器具本体１Ｂに、軸とストッパという異なる機能をもつ二種類のものを設けるより、軸だけにして、これを複数設けることの方が、使用者の混乱を招くことが少ないだろう。尚、本実施例において、左右２つのソケット金具２の少なくともどちらかに実施例１や実施例２におけると同様の軸を設ければ、器具本体１Ｂの軸は、１つでも済む。
【００４１】
本実施例は、以下に述べるように変形することができる。すなわち、実施例３においては器具本体の下辺の両端に設けていた軸（図５参照）を、器具本体の左端または右端にまとめて、上辺と下辺に向い合わせて設けるのである。本実施例の変形例に係る器具本体及びカバーの部分拡大図を示す図６を参照して、図示する変形例の照明器具においては、器具本体１Ｃの下辺の左端に、内向きに軸４Ｃを設けている。また、器具本体の上辺の左端にも、軸４Ｃを内向きに設けている。上下二つの軸４Ｃは、互いに相手の軸の延長線上に位置している。一方、カバー３Ｃには、上辺の左端と下辺の左端に溝５Ｃが１つずつ、内向きに飛び出して設けてある。２つの溝５Ｃは共に、円周の一部が切れたような円筒構造になっている。
【００４２】
この変形例において、器具本体側の軸４Ｃをカバー側の溝５Ｃに嵌め込むと、カバー３Ｃは上下２つの軸４Ｃを中心にして回転できる状態で、常に軸支される。従って、蛍光ランプの交換などのときは、カバー３Ｃを回転させて開け、閉めするだけでよく、開けたカバーを落下しないように支えている必要はない。
【００４３】
ここで、上述の変形例においては軸４Ｃを器具本体に設けたが、軸はソケット金具に設けてもよい。この場合、軸やカバーの溝部分の機械的強度が十分であれば、軸を一つにして、一点支持にすることもできる。
【００４４】
尚、これまでの実施例や変形例はいずれも、被照面（照明器具に照らされる面）側から見たときの平面形状が横長の四角形をしたカバーを用いているが、カバーの構造は、これに限らない。本発明の作用原理は、カバーをソケット金具や器具本体に設けた軸に開閉可能に軸支させるところにある。従って、カバーは横長でなくてもよいし、更には、例えば円形のような、四角形以外の平面形状をもつカバーであっても本発明の作用効果は得られる。カバーの横断面は「Ｃ」字形の雨樋様の形状を例示したが、「コ」の字形のような直線で形成した形状であってもよい。更には、膨らみのない単なる平板であってもよい。
【００４５】
また、光源に直管形蛍光ランプを用いた例について述べたが、光源はこれに限らない。カバーと軸との軸支構造が実現できれば、光源の形状は直管形でなくてもよい。種類も、蛍光体を用いない例えば紫外線ランプのような放電ランプも使える。更には、放電ランプではなく、例えば白熱電球などの他の電気的光源であってもよい。
【００４６】
尚また、器具本体及びソケット金具は、金属製のものである例を述べたが、十分な機械的強度があれば、樹脂製であってもよい。器具本体やソケット保持具を樹脂製にして軸を一体に設けることは、押出し成形やインジェクション成形によって可能である。
【００４７】
そして、照明器具が垂直な壁に固定する構造である場合を例にして述べたが、天井などの水平天面に固定する構造の照明器具においても、実施例におけると同じ作用効果を得ることができる。更には、器具本体を鎖やコードなどで天井から宙吊りにする吊下げ形の照明器具や或いは、器具本体に支柱を取り付けて、中空に半固定的に保持するスタンド形の照明器具においても、同じ作用効果が得られる。
【産業上の利用可能性】
【００４８】
本発明は、光源に直管形の放電ランプを用いる照明器具で、光源を被照面側から覆う横長のカバーを有する照明器具に用いて、特に有効である。
【図面の簡単な説明】
【００４９】
【図１】本発明の実施例１に係る照明器具の分解斜視図及び、長手方向から見たときの透視側面図である。
【図２】実施例１において、壁に固定した照明器具の蛍光ランプを交換するときの手順を順番に示す斜視図である。
【図３】実施例１において、壁に固定した照明器具の蛍光ランプを交換するときの手順を順番に示す側面図である。
【図４】本発明の実施例２に係る照明器具の分解斜視図である。
【図５】本発明の実施例３に係る照明器具の分解斜視図である。
【図６】本発明の変形例に係る照明器具の一部を拡大して示す図である。
【図７】従来の照明器具の一例の分解斜視図及び、長手方向から見たときの透視側面図である。
【符号の説明】
【００５０】
１，１Ａ，１Ｂ    器具本体
２，２Ａ    ソケット金具
３，３Ａ，３Ｂ    カバー
４Ａ，４Ｂ    軸
５Ａ，５Ｂ    溝
６    カバーに設けた突起
７    器具本体に設けた突起
１０    直管形蛍光ランプ
１１    ソケット
１２    側板
１３    点灯回路
１４    スイッチ
１５    蛍光ランプの端子
【図１】
2006031964.tif 000003
【図２】
2006031964.tif 000004
【図３】
2006031964.tif 000005
【図４】
2006031964.tif 000006
【図５】
2006031964.tif 000007
【図６】
2006031964.tif 000008
【図７】
2006031964.tif 000009